(57)【要約】【課題】本体部の側面に装着するカバー部材のレイアウトの自由度を向上させることが可能な販売登録装置を提供する。【解決手段】商品から情報を読み取る読取部と、チェックアウトカウンタの上面に立設され、前記読取部を収納する本体部と、前記本体部の側面を高さ方向に区分した小領域の各々と略同等サイズのパネル面を有する複数のカバー部と、前記小領域の各々に設けられ、前記カバー部を着脱可能に取り付けるための取付部と、を備え、前記本体部の側面は、同一サイズの小領域を少なくとも２つ有して区分され、前記カバー部は、前記パネル面のサイズに対応する前記小領域に設けられた前記取付部によって、前記本体部の側面に取り付けられる。【選択図】図７
2019153183.tif 000002
【特許請求の範囲】
【請求項１】
商品から情報を読み取る読取部と、
チェックアウトカウンタの上面に立設され、前記読取部を収納する本体部と、
前記本体部の側面を高さ方向に区分した小領域の各々と略同等サイズのパネル面を有する複数のカバー部と、
前記小領域の各々に設けられ、前記カバー部を着脱可能に取り付けるための取付部と、
を備え、
前記本体部の側面は、同一サイズの小領域を少なくとも２つ有して区分され、
前記カバー部は、前記パネル面のサイズに対応する前記小領域に設けられた前記取付部によって、前記本体部の側面に取り付けられる販売登録装置。
【請求項２】
前記取付部は、前記小領域の中央又は当該中央を基準に点対称となる部位に設けられ、
前記カバー部の各々は、前記パネル面の天地を反転した状態でも前記本体部の側面に取り付けられる請求項１に記載の販売登録装置。
【請求項３】
前記複数のカバー部は、前記パネル面が同一サイズのカバー部を少なくとも２つ含み、当該カバー部の何れか一つのパネル面に付属物が取り付けられる請求項１又は２に記載の販売登録装置。
【請求項４】
前記付属物は、前記パネル面の高さ方向の２辺のうち、何れか一方の辺に寄った状態で取り付けられる請求項３に記載の販売登録装置。
【請求項５】
前記付属物は、強磁性体の金属板である請求項３又は４に記載の販売登録装置。
【発明の詳細な説明】
【技術分野】
【０００１】
本発明の実施形態は、販売登録装置に関する。
【背景技術】
【０００２】
従来、販売対象の商品の登録を行う販売登録装置と、販売登録装置で登録された商品の販売登録データに基づき決済処理を実行する会計装置とを、ネットワーク接続したチェックアウトシステムが利用されている。係るチェックアウトシステムでは、商品の登録と決済とを複数の店員で分業する構成（二人制方式）や、客自身が決済を行う構成（セミセルフ方式）とすることが可能である。
【０００３】
上記のチェックアウトシステムでは、省スペース化等のため、縦型スキャナと呼ばれるタイプの販売登録装置が使用されている。このような販売登録装置では、チェックアウトカウンタ上に立設した本体部内に読取装置等を収納し、本体部の上方に表示装置を備える構成が知られている。また、販売登録装置では、本体部の保護やデザイン性の向上のため、本体部の側面を単一のカバー部材で覆うことが行われている。また、マグネットを用いて掲示物を掲示できるよう、サイドパネルの一部に金属板等の付属物を取り付けたものも利用されている。
【０００４】
しかしながら、従来の構成では、カバー部材は単一部材であることから、本体部の側面への取付け方法も限定され、レイアウトの自由度が低いという問題がある。また、本体部の側面にカバー部材が固定されてしまうため、金属板の設置高さを容易に変えることができず、金属板を張り直す等の作業が必要となっていた。
【発明の概要】
【発明が解決しようとする課題】
【０００５】
本発明が解決しようとする課題は、本体部の側面に装着するカバー部材のレイアウトの自由度を向上させることが可能な販売登録装置を提供することである。
【課題を解決するための手段】
【０００６】
実施形態の販売登録装置は、商品から情報を読み取る読取部と、チェックアウトカウンタの上面に立設され、前記読取部を収納する本体部と、前記本体部の側面を高さ方向に区分した小領域の各々と略同等サイズのパネル面を有する複数のカバー部と、前記小領域の各々に設けられ、前記カバー部を着脱可能に取り付けるための取付部と、を備え、前記本体部の側面は、同一サイズの小領域を少なくとも２つ有して区分され、前記カバー部は、前記パネル面のサイズに対応する前記小領域に設けられた前記取付部によって、前記本体部の側面に取り付けられる。
【図面の簡単な説明】
【０００７】
【図１】図１は、実施形態に係るチェックアウトシステムの一例を示す斜視図である。
【図２】図２は、図１に示した販売登録装置を正面側から見た図である。
【図３】図３は、図１に示した販売登録装置を背面側から見た図である。
【図４】図４は、図１に示した筐体の構成の一例を示す斜視図である。
【図５】図５は、実施形態に係るサイドパネルの外観構成の一例を示す斜視図である。
【図６】図６は、図５に示したサイドパネルをＡ１方向から見た図である。
【図７】図７は、支持部にサイドパネルを取り付けた状態の一例を示す斜視図である。
【図８】図８は、支持部及びサイドパネルの取り付け部分の断面の一例を模式的に示す図である。
【図９】図９は、サイドパネルを取り付けた販売登録装置の側面を模式的に示す図である。
【図１０】図１０は、サイドパネルを取り付けた販売登録装置の側面の一例を模式的に示す図である。
【図１１】図１１は、サイドパネルを取り付けた販売登録装置の側面の一例を模式的に示す図である。
【図１２】図１２は、サイドパネルを取り付けた販売登録装置の側面の一例を模式的に示す図である。
【発明を実施するための形態】
【０００８】
以下に添付図面を参照して、本発明に係る販売登録装置の実施形態を詳細に説明する。以下の実施形態では、二人制方式やセミセルフ方式等のチェックアウトシステムで用いられる販売登録装置について説明するが、本発明はこの実施形態に限定されるものではない。
【０００９】
図１は、実施形態に係るチェックアウトシステム１の一例を示す斜視図である。図２は、図１に示した販売登録装置１０を正面側（オペレータ側）から見た図である。図３は、図１に示した販売登録装置１０を背面側（客側）から見た図である。
【００１０】
チェックアウトシステム１は、横長テーブル状のチェックアウトカウンタ２を有する。チェックアウトカウンタ２の上面には、平坦な荷受面３が形成されている。荷受面３には、商品を収納する買い物カゴ（図示せず）等が載置される。
【００１１】
チェックアウトカウンタ２の長手方向の略中央領域には、販売登録装置１０が設置される。販売登録装置１０は、縦型タイプのスキャナ装置（縦型スキャナ）である。販売登録装置１０は、荷受面３において、オペレータから見て奥側に位置付けられる。販売登録装置１０は、決済端末（図示せず）等の外部装置と通信可能に接続される。
【００１２】
販売登録装置１０は、荷受面３に立設された筐体１１を主体に構成される。筐体１１は、販売登録装置１０の動作に係る各種の機器を収納する。筐体１１は、例えば、読取部２１及びプリンタ部２２を内部に備える。
【００１３】
読取部２１は、読取窓２１ａを介して、商品に付されたコードシンボルや当該商品の特徴等、販売登録の対象となる商品から当該商品に関する情報を読み取る読取装置である。読取部２１は、読取窓２１ａから読取光を照射する照明、その反射光を受光するイメージセンサ、イメージセンサの出力信号に関してデコード処理を実行するデコーダ等（何れも図示せず）を具備する。
【００１４】
プリンタ部２２は、レシート等の印刷部を印刷（発行）する印刷装置である。プリンタ部２２は、印刷媒体である用紙を収納するための用紙収納部、用紙収納部に収納された用紙を排紙口２２ａに搬送する搬送部、排紙口２２ａに搬送される用紙に印刷を行う印刷部等（何れも図示せず）を具備する。
【００１５】
筐体１１の表面（正面、背面及び側面）には、パネル部１２（正面パネル１２１、背面パネル１２２、サイドパネル１２３）が着脱可能に取り付けられる。パネル部１２は、筐体１１の表面をカバーするカバー部（カバー部材）の一例であり、樹脂等の板状部材によって形成される。ここで、筐体１１の正面側に取り付けられる正面パネル１２１には、読取部２１及びプリンタ部２２の正面（インタフェース）を露出させた状態で筐体１１の正面を覆うことができるよう、開口部１２１ａ、１２１ｂが設けられている。
【００１６】
筐体１１の上部には、表示部１３が取り付けられる。表示部１３は、液晶ディスプレイ等の表示デバイスを備えた表示装置である。表示部１３は、筐体１１の正面よりも手前側に延出させて設けられ、その前部が下方下がりに傾斜している。表示部１３は、販売登録装置１０を操作するオペレータ用のディスプレイとして使用される。なお、表示部１３は、タッチパネル構成であってもよい。また、表示部１３は、販売登録装置１０の電源ユニットや、ＣＰＵ（Central  Processing  Unit）やＲＯＭ（Read  Only  Memory）、ＲＡＭ（Random  Access  Memory）等で構成される販売登録装置１０の制御ユニット等を備えてもよい。
【００１７】
操作部１４は、表示部１３に隣接して設けられる。図１では、操作部１４は、オペレータから見て表示部１３の右隣に設けられている。操作部１４は、キーボード等の入力デバイスを有する。
【００１８】
また、荷受面３には、筐体１１の足部１１３（図４参照）が差し込まれる貫通穴（図示せず）が形成されている。筐体１１の足部１１３を荷受面３の貫通穴に差し込むことで、筐体１１が荷受面３上に固定（立設）される。荷受面３上に立設される販売登録装置１０の高さは、オペレータの目の高さ程度とすることが好ましい。
【００１９】
なお、販売登録装置１０の構成は、上記の例に限らないものとする。例えば、販売登録装置１０は、表示画面を販売登録装置１０の背面側に向けた客用の表示部（客用表示部）を備えてもよい。客用表示部は、例えば、表示部１３の背面や表示部１３に隣接した位置（操作部１４と逆の位置）に取り付けることができる。
【００２０】
次に、図４を参照して、販売登録装置１０（筐体１１）の構成について説明する。図４は、筐体１１の構成の一例を示す斜視図である。なお、図４では、販売登録装置１０からサイドパネル１２３、表示部１３及び操作部１４を取り除いた状態を示している。
【００２１】
図４に示すように、筐体１１は、本体部１１１と、支持部１１２とを備える。本体部１１１は、全体として、高さ方向（Ｚ方向）に長い略箱状の形状を有する。本体部１１１は、読取部２１やプリンタ部２２等の機器を内部に収納する。
【００２２】
なお、本体部１１１が収納する機器は、読取部２１やプリンタ部２２に限らず、販売登録装置１０の制御ユニットや電源ユニット等を収納してもよい。また、表示部１３は、本体部１１１の上面に取り付けられる。具体的には、表示部１３は、チルト機構等を備えた保持具１３ａ（図３参照）等を用いて本体部１１１の上面に取り付けられる。
【００２３】
本体部１１１の両側部（側面）には、支持部１１２が取り付けられる。支持部１１２は、本体部１１１の高さ方向に亘って延設された断面が馬蹄状の柱状（板状）部材であり、例えば金属板等によって形成される。支持部１１２は、本体部１１１を両側面から支持する。
【００２４】
具体的には、支持部１１２は、断面が略コの字状の側面部１１２１と、側面部１１２１の両端から外側に向けて延設された延設部１１２２とを有する。側面部１１２１は、支持部１１２を本体部１１１に取り付けた際に、筐体１１（本体部１１１）の側面となる部位である。延設部１１２２は、支持部１１２を本体部１１１に取り付ける際に、本体部１１１に接合される部位である。なお、支持部１１２の幅方向（Ｙ方向）のサイズは、本体部１１１の奥行き方向のサイズと略同等であり、支持部１１２の高さ方向（Ｚ方向）のサイズは、本体部１１１の高さ方向のサイズよりも長く形成されている。
【００２５】
支持部１１２は、溶接やネジ止め等によって本体部１１１の側面に固定（接合）される。具体的には、支持部１１２の上端が本体部１１１の上面と略同等の高さに揃えられた状態で、側面部１１２１の両端に設けられた延設部１１２２が、本体部１１１の高さ方向に亘って本体部１１１の側面に接合される。つまり、支持部１１２は、コの字型の断面の凹側が本体部１１１の側面に対向するように取り付けられる。
【００２６】
なお、支持部１１２の下端部分、つまり本体部１１１の下面から突出した支持部１１２の部分は、筐体１１の足部１１３となる。足部１１３は、荷受面３の貫通穴に差し込まれる。これにより、支持部１１２は、荷受面３（チェックアウトカウンタ２）に固定される。
【００２７】
本体部１１１と支持部１１２との一体化により、本体部１１１の側面と側面部１１２１との間には、配線経路となる間隙１１２３（スペース）が本体部１１１の高さ方向に亘って形成される。間隙１１２３は、本体部１１１の側面のケーブル穴（図示せず）に接続される。これにより、筐体１１では、本体部１１１と表示部１３との間の配線を、間隙１１２３を通じて行うことができる。
【００２８】
また、支持部１１２の側面部１１２１には、サイドパネル１２３を着脱自在に取り付けることが可能な取付部１１２１ａが設けられている。取付部１１２１ａは、例えばスナップフィット構造の係止穴（凹部）である。取付部１１２１ａは、サイドパネル１２３が取り付けられる取付領域１１２１ｂ毎に設けられる。図４では、取付領域１１２１ｂを破線で示しており、３つの取付領域１１２１ｂに区分けした例を示している。
【００２９】
取付領域１１２１ｂは、サイドパネル１２３の取り付け用に確保された小領域であり、
サイドパネル１２３が取り付けられる本体部１１１の側面（側面部１１２１）を高さ方向に区分したものとなっている。取付領域１１２１ｂのサイズは、当該取付領域１１２１ｂに取り付けられるサイドパネル１２３の大きさに対応する。つまり、図４では、側面部１１２１に設定された３つの取付領域１１２１ｂに、その取付領域１１２１ｂのサイズに対応した３つのサイドパネル１２３が取り付けられることを示している。ここで、３つの取付領域１１２１ｂのうち、上段及び下段のサイズは同じであり、中段のサイズは、上段（下段）よりも小さくなっている。
【００３０】
なお、取付領域１１２１ｂ内で取付部１１２１ａを設置する部位や個数は特に問わないものとするが、サイドパネル１２３の天地を反転した場合でも、反転前と同様の状態で取り付けることが可能な部位に設置されるものとする。具体的には、取付領域１１２１ｂは、取付領域１１２１ｂの中央や、当該中央を基準に点対称となる部位に設置される。また、取付領域１１２１ｂの個数は２以上であるとし、同一サイズの取付領域１１２１ｂが少なくとも２つあるものとする。
【００３１】
次に、図５、図６を参照して、サイドパネル１２３について説明する。図５は、サイドパネル１２３の一例を示す斜視図である。また、図６は、図５に示したサイドパネル１２３をＡ１の方向から見た図である。
【００３２】
サイドパネル１２３は、カバー部の一例である。サイドパネル１２３は、支持部１１２に取り付けられた際に、筐体１１の側面となるパネル面１２３１を主面として有する。
【００３３】
パネル面１２３１は、取付領域１１２１ｂと略同等の大きさで形成されている。また、パネル面１２３１の一部の領域には、強磁性体の金属板１２３２が取り付けられている。金属板１２３２は、例えば、サイドパネル１２３を支持部１１２の側面部１１２１に取り付けた際に、マグネットを用いて掲示物等を掲示するのに用いられる。
【００３４】
なお、図５では、パネル面１２３１の長辺方向の２辺のうち、片方の辺に寄った位置に金属板１２３２を配置しているが、金属板１２３２の設置位置はこれに限らず、パネル面１２３１の中央に配置してもよい。また、金属板１２３２は、パネル面１２３１の全面に配置する構成としてもよい。
【００３５】
パネル面１２３１の裏面側には被取付部１２３３が設けられている。被取付部１２３３は、例えばスナップフィット構造のフック（凸部）であり、支持部１１２の取付部１１２１ａによって着脱自在に係止される。
【００３６】
なお、被取付部１２３３を設置する部位や個数は特に問わないものとするが、支持部１１２の取付部１１２１ａに対応する部位に設置されるものとする。また、被取付部１２３３は、サイドパネル１２３が取り付けられた際に、そのパネル面１２３１と当該パネル面１２３１と同一サイズ分の取付領域１１２１ｂとが一致する部位に設置されるものとする。また、被取付部１２３３は、サイドパネル１２３の天地を反転させた場合に、反転前と同様の状態で取り付けることが可能な部位に設置される。具体的には、被取付部１２３３は、パネル面１２３１の中央や、当該中央を基準に点対称となる部位に設置される。
【００３７】
サイドパネル１２３は、側面部１１２１に設置された取付領域１１２１ｂの個数分用意される。例えば、図４に示した構成では、側面部１１２１に３つの取付領域１１２１ｂが設定されているため、各々のサイズに対応した３つのサイドパネル１２３が用意される。これら３つのサイドパネル１２３を、対応するサイズの取付領域１１２１ｂに取り付けることで、筐体１１（本体部１１１）の側面をサイドパネル１２３で覆うことができる。
【００３８】
なお、金属板１２３２は、全てのサイドパネル１２３に取り付ける構成としてもよいし、一部のサイドパネル１２３に取り付ける構成としてもよい。後者の場合、金属板１２３２は、同一サイズのパネル面１２３１を有した複数のサイドパネル１２３の、少なくとも何れか一つに取り付けられるものとする。
【００３９】
次に、サイドパネル１２３の取り付け方法について説明する。図７は、図４に示した支持部１１２にサイドパネル１２３を取り付けた状態の一例を示す斜視図である。図８は、支持部１１２及びサイドパネル１２３の取り付け部分の断面の一例を模式的に示す図である。
【００４０】
図７に示すように、サイドパネル１２３は、筐体１１（本体部１１１）の外側にパネル面１２３１を向けた状態で、側面部１１２１に取り付けられる。このとき、パネル面１２３１の裏面側に設けられた被取付部１２３３は、側面部１１２１の取付部１１２１ａによって係止される（図８参照）。
【００４１】
図８は、取付部１１２１ａ及び被取付部１２３３を、スナップフィット構造とした例を示している。同図に示すように、サイドパネル１２３の被取付部１２３３は凸部を有し、当該凸部を取付部１１２１ａの凹部にはめ込んで引っ掛けることで、サイドパネル１２３は、支持部１１２に取り付けられる。支持部１１２からサイドパネル１２３を取り外す際には、被取付部１２３３の凸部に対し取付部１１２１ａの中心方向に力を加えることで、取付部１１２１ａの凹部から被取付部１２３３の凸部を外すことができる。これにより、サイドパネル１２３は、筐体１１の側面に着脱自在に取り付けられる。
【００４２】
また、サイドパネル１２３は、図９〜図１２に示すように、筐体１１の側面を覆うよう当該側面の高さ方向に亘って複数個取り付けられる。ここで、図９〜図１２は、サイドパネル１２３を取り付けた販売登録装置１０（筐体１１）の側面の一例を模式的に示す図である。なお、図９〜図１２では、図４で説明した３個の取付領域１１２１ｂが筐体１１の側面（側面部１１２１）に設定された例を示している。
【００４３】
図４及び図９に示すように、サイドパネル１２３は、自己のサイドパネル１２３の大きさに対応するサイズの取付領域１１２１ｂに取り付けられる。具体的には、最上段の取付領域１１２１ｂのサイズに対応するサイドパネル１２３ａが、上段の取付領域１１２１ｂに取り付けられる。また、中段の取付領域１１２１ｂのサイズに対応するサイドパネル１２３ｂが、中段の取付領域１１２１ｂに取り付けられる。また、下段の取付領域１１２１ｂのサイズに対応するサイドパネル１２３ｃが、下段の取付領域１１２１ｂに取り付けられる。これにより、筐体１１の側面は、サイドパネル１２３ａ、１２３ｂ、１２３ｃによって覆われることになる。
【００４４】
ここで、サイドパネル１２３ａ及びサイドパネル１２３ｃは、パネル面１２３１のサイズが同等であるが、サイドパネル１２３ａには金属板１２３２が設けられている。つまり、サイドパネル１２３ａを取り付けた販売登録装置１０では、金属板１２３２とマグネット（図示せず）とを用いることで、筐体１１（本体部１１１）の側面に掲示物等を掲示することができる。
【００４５】
ところで、使用環境等に応じて、金属板１２３２の設置高さを下げるような場合、図９に示したサイドパネル１２３ａの天地を反転することで、図１０のレイアウトとすることができる。図１０は、図９に示したサイドパネル１２３ａの天地を反転させた状態を示している。図１０に示すように、筐体１１の側面での金属板１２３２の設置高さは、サイドパネル１２３ａの天地が反転したことにより、図９に示した状態よりも低くなる。
【００４６】
また、金属板１２３２の設置高さを更に下げるような場合、図９に示した同サイズのサイドパネル１２３ａとサイドパネル１２３ｃとを入れ替えることで、図１１のレイアウトとすることができる。図１１は、図９に示したサイドパネル１２３ａとサイドパネル１２３ｃとを入れ替えた状態を示している。図１１に示すように、筐体１１の側面での金属板１２３２の設置高さは、サイドパネル１２３ａとサイドパネル１２３ｃとの入れ替えにより、図１０に示した状態よりも低くなる。
【００４７】
また、図１１に示した金属板１２３２の設置高さを更に下げたい場合には、サイドパネル１２３ａの天地を反転することで、図１２のレイアウトとすることができる。図１２は、図１１に示したサイドパネル１２３ａの天地を反転させた状態を示している。図１２に示すように、筐体１１の側面での金属板１２３２の設置高さは、サイドパネル１２３ａの天地が反転したことにより、図１１に示した状態よりも低くなる。
【００４８】
以上のように、販売登録装置１０の筐体１１（本体部１１１）の側面は、サイドパネル１２３の大きさに対応した取付領域１１２１ｂに区分され、同一サイズの取付領域１１２１ｂを少なくとも２つ有している。また、販売登録装置１０は、筐体１１（本体部１１１）の側面において、サイドパネル１２３を着脱自在に取り付け可能な取付部１１２１ａを、取付領域１１２１ｂ毎に備えている。そして、販売登録装置１０では、取付領域１１２１ｂの各々に、当該取付領域１１２１ｂのサイズに対応したサイドパネル１２３を取り付けることが可能となっている。これにより、販売登録装置１０では、同一サイズのサイドパネル１２３を入れ替えて取り付けることができるため、サイドパネル１２３のレイアウトの自由度を向上させることができる。
【００４９】
また、販売登録装置１０では、取付領域１１２１ｂの中央又は当該中央を基準に点対称となる部位に取付部１１２１ａを設置している。これにより、販売登録装置１０では、サイドパネル１２３の天地を反転させた状態で取り付けることができるため、販売登録装置１０のレイアウトの自由度を向上させることができる。
【００５０】
さらに、販売登録装置１０では、同一サイズのサイドパネル１２３の何れか一つに、金属板１２３２を取り付けることが可能となっている。これにより、販売登録装置１０では、筐体１１の側面での金属板１２３２の設置高さを、サイドパネル１２３のレイアウト変更によって調整することができるため、利便性の向上を図ることができる。
【００５１】
以上、本発明の実施形態について説明したが、本発明はこれに限定されるものではなく、本発明の主旨を逸脱しない範囲での種々の変更、置換、追加、組み合せ等が可能である。
【００５２】
例えば、上記実施形態では、サイドパネル１２３のパネル面１２３１に金属板１２３２を取り付ける例を説明したが、金属板１２３２以外の付属物を取り付ける構成としてもよい。例えば、サイドパネル１２３は、レジ袋等を引っ掛けて保持するためのフックや、ホワイトボード等を、付属物としてパネル面１２３１に備える構成としてもよい。
【００５３】
また、支持部１１２の断面形状は上記実施形態の例に限らないものとする。例えば、支持部１１２は、内部に中空領域を有する角パイプ等の柱状（筒状）部材としてもよい。この場合、支持部１１２の断面形状は特に問わないものとするが、本体部１１１やサイドパネル１２３を取り付けることが可能な形状を有するものとする。また、支持部１１２は、本体部１１１に取り付けられる面側に、本体部１１１の側面のケーブル穴に連通する貫通穴を備えるものとする。また、支持部１１２は、筐体１１の側面となる面側に、上述した取付部１１２１ａ等を備えるものとする。これにより、支持部１１２は、自身の中空領域により、本体部１１１との間に間隙１１２３を形成することができる。
【００５４】
また、上記実施形態では、サイドパネル１２３のパネル面１２３１を平坦面としたが、これに限らず、溝等を刻んだ面としてもよいし、凹凸を有した曲面等としてもよい。
【符号の説明】
【００５５】
１  チェックアウトシステム
２  チェックアウトカウンタ
３  荷受面
１０  販売登録装置
１１  筐体
１１１  本体部
１１２  支持部
１１２１  側面部
１１２１ａ  取付部
１２３、１２３ａ、１２３ｂ、１２３ｃ  サイドパネル
１２３１  パネル面
１２３２  金属板
１２３３  被取付部
１３  表示部
１４  操作部
２１  読取部
２２  プリンタ部
【先行技術文献】
【特許文献】
【００５６】
【特許文献１】特開２０１０−２５７１２０号公報
【図１】
2019153183.tif 000003
【図２】
2019153183.tif 000004
【図３】
2019153183.tif 000005
【図４】
2019153183.tif 000006
【図５】
2019153183.tif 000007
【図６】
2019153183.tif 000008
【図７】
2019153183.tif 000009
【図８】
2019153183.tif 000010
【図９】
2019153183.tif 000011
【図１０】
2019153183.tif 000012
【図１１】
2019153183.tif 000013
【図１２】
2019153183.tif 000014